(57)【要約】      （修正有）【課題】水で洗浄可能な開放式ラチェットレンチを提供する。【解決手段】開放式ラチェットレンチ１０は、本体２０とラチェット具３０とを備える。本体２０には、固定爪２３と少なくし２つの可動爪４０，５０とが設けられる。固定爪と可動爪４０，５０との間にラチェット具３０を結合させ、且つラチェット具３０を駆動することで被駆動具を駆動させる。或いは、ラチェット具３０を固定爪と可動爪４０，５０に相対して回動させ、ラチェット具３０が被駆動具から離脱しない状態において、本体の角度を改変することで、使用者が締め付ける作業と緩む作業を行い続けることができる。また、ラチェットレンチ１０の各部位が開放状になっているため、粉塵または汚れ物がラチェットレンチ１０の内部に入っても、使用者が水でラチェットレンチ１０を洗浄し、ラチェットレンチ１０を正常な状態に回復させることができる。【選択図】図１
0003186979.tif 000002
【実用新案登録請求の範囲】
【請求項１】
開放式ラチェットレンチであって、
使用者が把持して枢転軸に沿って被駆動具を回すつかみ部と、固定爪と第１枢転部と第２枢転部とを具備する作業端とを含み、前記被駆動具枢転軸と同軸の本体枢転軸とを有している本体と、
回動可能に前記本体の前記固定爪に設けられ、前記被駆動具枢転軸が前記本体枢転軸と同軸に回転するように前記本体に設けられ、且つ前記被駆動具に取り付けるための内側と、歯合部が形成されている外側とを含むラチェット具と、
第１枢転端と、前記第１枢転端の反対側に位置する第１可動端とを有し、前記第１枢転端は、前記本体の前記第１枢転部に枢設され、前記ラチェット具に隣接する前記第１可動端の一側には、第１歯形部が形成され、前記第１歯形部は、前記ラチェット具の前記歯合部に噛み合っている第１可動爪と、
第２枢転端と、前記第２枢転端の反対側に位置する第２可動端とを有し、前記第２枢転端は、前記本体の前記第２枢転部に枢設され、前記ラチェット具に隣接する前記第２可動端の一側には、第２歯形部が形成され、前記第２歯形部は、前記ラチェット具の前記歯合部に噛み合っている第２可動爪と、を備える、ことを特徴とする開放式ラチェットレンチ。
【請求項２】
前記内側と前記外側との間に開口部が設けられ、前記ラチェット具の前記開口部の幅は、前記歯合部の円周方向に沿う第１距離を有し、前記第１歯形部から最遠端部の歯形と前記第２歯形部から最遠端部の歯形との間は、前記歯合部の円周方向に沿う弧長を有し、前記弧長は、前記第１距離より大きい、ことを特徴とする請求項１記載の開放式ラチェットレンチ。
【請求項３】
前記第１歯形部の前記歯合部の円周方向に沿う両端部の間は、第２距離を有し、前記第２距離は、前記第１距離より小さく、前記第２歯形部の前記歯合部に沿う両端部の間は、第３距離を有し、前記第３距離は、前記第１距離より小さい、ことを特徴とする請求項２記載の開放式ラチェットレンチ。
【請求項４】
前記第１可動爪の枢転軸は、前記本体枢転軸に平行し、前記第２可動爪の枢転軸は、前記本体枢転軸に平行し、前記第２可動爪は、前記本体枢転軸の軸方向に沿って前記第１可動爪のそばに設けられ、前記第３距離は、前記第２距離に等しく、前記歯合部の各歯間の間隔が同じであり、前記第１歯形部の各歯間の間隔と前記歯合部の各歯間の間隔とが同じである、前記第２歯形部の前記歯合部の各歯間の間隔が同じである、ことを特徴とする請求項３記載の開放式ラチェットレンチ。
【請求項５】
前記ラチェットレンチは、他の第２可動爪をさらに含み、前記２つの第２可動爪は、前記第１可動爪の両側に対称に設けられ、前記第１歯形部と前記固定爪との距離は、前記第２歯合部と前記固定爪との間の距離より小さく、前記第１歯形部と前記固定爪との間の距離は、前記歯合部の外径より小さく、前記ラチェット具の枢転軸の軸方向に沿う両端には、径方向に沿う制限リングを延設されており、前記制限リング最大の外径は、前記歯合部の外径より大きく、前記制限リングの外周部にラチェット運動部が設けられ、前記ラチェット運動部により使用者が前記ラチェット具を回す、ことを特徴とする請求項１ないし４のいずれかに記載の開放式ラチェットレンチ。
【請求項６】
前記作業端は、第１開放空間と第２開放空間とをさらに含み、前記第１可動爪の前記第１枢転端が前記第１開放空間に収容され、前記第２可動爪の前記第２枢転端が前記第２開放空間に収容され、前記第１可動爪を収容した後に前記第１開放空間に第１隙間が残り、前記第２可動爪を収納した後に前記第１開放空間に第１隙間が残り、前記本体の枢転軸に沿う前記固定爪の両側には、径方向に沿う第１制限部が設けられ、前記第１制限部は、細長い突起ブロック状に形成され、前記ラチェット具の前記歯合部の両側にはそれぞれ、第２制限部が設けられ、前記第２制限部は、リング溝状に形成され、前記第２制限部は、前記第１制限部に当接され、前記第２歯合部の前段の２つの歯形と前記第１歯合部の後段の２つの歯形とは、前記ラチェット具の前記歯合部の同じな２つの歯形に噛み合い、前記第１開放空間の壁面に第１収容穴が形成され、前記第１収容穴の内部には、ばねと制動具とが順に収容され、前記制動具は、前記第１収容穴に収納されている前記ばねの弾力により、前記第１可動爪に当接され、且つ前記第１収容穴内の前記制動具が前記第１可動爪を前記第１位置に移動させ、前記第２開放空間の壁面に第２収容穴を形成され、前記第２収容穴の内部には、前記ばねと前記制動具とが順に収容され、前記制動具は前記第２収容穴に収納されている前記ばねの弾力により、前記第２可動爪に当接され、且つ前記第２収容穴内の前記制動具が前記第２可動爪を前記第１位置に移動させ、前記第１可動爪の前記第１収容穴に接近する箇所には、第１制動部が形成され、前記第１収容穴の前記制動具は、前記第１制動部に当接され、前記第２可動爪の前記第２収容穴に接近する箇所には前記第２制動部が形成され、前記第２収容穴内の前記制動具は、前記第２制動部に当接されているので、前記第１可動爪と前記第２可動爪が前記第１位置に位置しているとき、前記第２位置に移動しにくい、ことを特徴とする請求項１ないし４のいずれかに記載の開放式ラチェットレンチ。
【考案の詳細な説明】
【技術分野】
【０００１】
本案は、ラチェットレンチに関し、特に水で洗浄可能な開放式ラチェットレンチに関する。
【背景技術】
【０００２】
米国特許４６３１９９０号（特許文献１）ＯＰＥＮ−ＥＮＤＥＤ  ＲＡＴＣＨＥＴ  ＷＲＥＮＣＨ（開放端を備えるラチェットレンチ）は、開放式ラチェットレンチである。ラチェットレンチ（ｒａｔｃｈｅｔ  ｗｒｅｎｃｈ  １）の一端には、固定爪（ｆｉｘｅｄ  ｊａｗ  ３）と、枢動顎（ｐｉｖｏｔｉｎｇ  ｊａｗ  ９）とを有する。固定爪と枢動顎との間には、各種の挿入具（ｂｏｘ−ｅｎｄ  ｉｎｓｅｒｔ１８、ｓｏｃｋｅｔ  ｄｒｉｖｅ  ｉｎｓｅｒｔ  １９、又はｏｐｅｎ−ｅｎｄ  ｉｎｓｅｒｔ  ２０）を取付けすることができる。固定爪の２つの下部爪（ｂｏｔｔｏｍ  ｐａｗｌ  ２８と、側面爪ｓｉｄｅ  ｐａｗｌ  ２９）は、爪シート（ｐａｗｌ  ｓｅａｔｓ  ７）中において、挿入具を連動することにより被駆動具を駆動することができる。また、前記挿入具により固定爪と可動爪との間にラチェット機能が発生するので、使用者が工具ヘッドを被駆動具に取り付ける過程を繰り返す必要がない。
【先行技術文献】
【特許文献】
【０００３】
【特許文献１】米国特許４６３１９９０号
【考案の概要】
【考案が解決しようとする課題】
【０００４】
しかし、公知のラチェットレンチを使用する時、粉塵と汚れ物がラチェットレンチの内部に入って、挿入具と２つのラチェット爪との間に積み重なるので、ラチェット爪と挿入具との噛み合いに影響を与え、挿入具とラチェット爪との間でスリップを起してしまい、且つラチェットレンチの有効トルクを低下させる。２つのラチェット爪が爪シートで移動するときも、粉塵と汚れ物が爪シートに入り続き、且つ粉塵と汚れ物が爪シートに積み重なる場合、２つのラチェット爪が引き続き爪シートで移動することができなくなり、ラチェットレンチのラチェット機能を失ってしまい、最後にはラチェットレンチを使用することができなくなる。ラチェットレンチの内部は、作業の過程に入って積み重なる粉塵や汚れ物により故障する可能性がある。使用者がラチェットレンチを不適正に使用して、ラチェットレンチが破損する場合も、通常ラチェットレンチを購入した商店又はメーカーに戻す。メーカーにおいて、ラチェットレンチを修理するか、或いは交換して、使用者がラチェットレンチを使用し続けるようにしなければならない。このようなサービスをしても消費者から料金を貰うことができないので、ラチェットレンチの製造及び修理に掛かるコストが高くなる。且つ、ラチェットレンチが壊れることにより、使用者がメーカーに不信感を感じ、メーカーの信用に大きい被害をもたらす。
【０００５】
さらに、公知のラチェットレンチの揺動顎は、手動方式による制御方法を採用する。ラチェットレンチは、工具ヘッド部を交換する機能を提供することができるが、ラチェット機能は、他の素子により実現しなければならないので、ラチェットレンチの素子により構造が複雑になり、ラチェットレンチの製造及び組立コストが高まる。
【０００６】
さらに、公知のラチェットレンチの有効トルクが不足するので、使用者が大きいトルク力で回す時、ラチェットレンチ内部の素子が破損することができるので、使用し続けることができなくなる。また、内部素子の体積が小さいので、製造しにくく、組立てにくく、且つ修理コストが高まる。
【課題を解決するための手段】
【０００７】
本考案の主な目的は、悪い環境で長時間に使用しても故障するか、或いは破損しない開放式ラチェットレンチを提供することにある。即ち、使用者がラチェットレンチを操作するとき、外部の環境を特に留意する必要がなく、悪い環境でラチェットレンチを使用しても、環境の粉塵や汚れ物により、ラチェットレンチが故障するか、或いは破損しない。ラチェットレンチの固定爪と可動爪は、選択的にラチェット具から離脱することができるので、粉塵や汚れ物がラチェットレンチの内部に入ったとき、使用者が水を用いてラチェットレンチを洗浄し、ラチェットレンチを正常状態に回復させることができるので、使用者に大きい利便性を提供することができる。また、消費者がレンチの故障により、無償交換または無償修理を要求する可能性が低いので、ラチェットレンチの保証に掛かる保証コストまたは交換コストを軽減することができる。また、ラチェットレンチが故障しにくいので、メーカーの信用を向上させることもできる。
【０００８】
本考案による開放式ラチェットレンチの他の目的は、挟持とラチェット機能とを有している可動爪を提供して、ラチェットレンチの製造コストと保証コスト有効に軽減することにある。また、使用者がレンチ各部位の状態の調整する必要がなく、ラチェットレンチを往復に回すことにより、被駆動具を駆動するか、或いはラチェットレンチにラチェット機能を与えることができる。即ち、レンチの角度を調節することができるので、ラチェットレンチを使用するハードルを軽減することができる。
【０００９】
本考案による開放式ラチェットレンチの他の目的は、複数の可動爪を備えるラチェットレンチを提供することにある。第１可動爪と第２可動爪が同時にラチェット具を駆動し、且つ第１歯形部と第２歯形部とが歯合部に噛み合うことにより、ラチェットレンチが耐えられるトルクを高める。即ち、使用者が過大なトルクを加えても、ラチェットレンチを破損させない。また、可動爪を容易に製造及び組立てることができるので、ラチェットレンチの保証コストを有効に軽減することができる。
【考案の効果】
【００１０】
前述した技術により、本案は以下のような考案の効果を奏することができる。
【００１１】
本考案の開放式ラチェットレンチは、悪い環境で長時間使用しても破損するか、或いは故障しない。使用者にとって、ラチェットレンチを使用するとき、周辺の環境を特に留意する必要がない。即ち、悪い環境においてラチェットレンチを使用しても、環境の粉塵や汚れ物により、ラチェットレンチが故障するか、或いは破損しない。ラチェットレンチの固定爪と可動爪は、選択的にラチェット具から離脱することができるので、粉塵や汚れ物がラチェットレンチの内部に入った時、使用者が水を用いてラチェットレンチを洗浄し、ラチェットレンチを正常状態に回復させることができるので、使用者に大きい利便性を提供することができる。且つ、消費者がレンチの欠点により無償交換又は無償修理を要求する可能性が低いので、メーカーにとって、ラチェットレンチの保証に掛かる保証修理コスト又は交換コストを軽減することができる。また、ラチェットレンチが故障しにくいので、メーカーの信用を向上させることもできる。
【００１２】
本案による開放式ラチェットレンチにおいて、ラチェットレンチの可動爪は、挟持機能とラチェット機能とを有しているので、ラチェットレンチの製造コストと保証コストを有効に軽減することができる。また、使用者がレンチ各部位の状態の調整する必要がなく、ラチェットレンチを往復に回すことにより、被駆動具を駆動するか、或いはラチェットレンチにラチェット機能を生成し、レンチの角度を調節することができるので、ラチェットレンチを使用するハードルを軽減することができる。
【００１３】
本案による開放式ラチェットレンチは、少なくとも２つの可動爪を有し、且つ第１可動爪と第２可動爪とが同時にラチェット具を駆動することができる。また、第１歯形部と第２歯形部とが歯合部に有効に噛み合うので、ラチェットレンチが耐えるトルクが大きくなり、使用者が過大なトルクを与えても、ラチェットレンチを容易に損傷させない。また、可動爪を容易に製造及び組立てることができるので、ラチェットレンチの保証コストを有効に軽減することができる。
【図面の簡単な説明】
【００１４】
【図１】本案による開放式ラチェットレンチの斜視外観図である。
【図２】本案による開放式ラチェットレンチの斜視分解図である。
【図３】本案による開放式ラチェットレンチの他の斜視分解図である。
【図４】図１の４−４断面線に沿う断面視図である。
【図５】図１の５−５断面線に沿う断面視図である。
【図６】本案による開放式ラチェットレンチの可動爪の操作を示す図である。
【図７】本案による開放式ラチェットレンチの可動爪の操作を示す図である。
【図８】本案による開放式ラチェットレンチのラチェット具の操作を示す図である（その１）。
【図９】本案による開放式ラチェットレンチのラチェット具の操作を示す図である。
【図１０】本案による開放式ラチェットレンチのラチェット具の操作を示す図である。
【図１１】本案による開放式ラチェットレンチを清掃することを示す図である。
【考案を実施するための形態】
【実施例】
【００１５】
図１ないし３を参照すると、本考案の開放式ラチェットレンチによる立体外観図と、立体分解図と、もう一つの視角の立体分解図とが示されている。本考案によるラチェットレンチ１０は、本体２０と、ラチェット具３０と、第１可動爪４０と、少なくとも一つの第２可動爪５０と、を備える。
【００１６】
図４と図５を参照すると、本考案の開放式ラチェットレンチによる断面図が示されている。本体２０は、つかみ部２１と、作業端２２とを含む。つかみ部２１は、使用者に把持機能を提供する。即ち、使用者がつかみ部２１をつかんで、本体２０を被駆動具の枢転軸（被駆動具枢転軸）に沿って回す。本体２０は、被駆動具枢転軸に同軸回動する枢転軸（本体枢転軸）を有する。作業端２２は、固定爪２３と、第１枢転部２２１と、第２枢転部２２２とを含む。本体２０の枢転軸に沿う固定爪２３の両側には、直径方向に突出した第１制限部２４が設けられている。第１制限部２４は、細長い突起ブロック状に形成され、第１枢転部２２１と第２枢転部２２２とは、固定爪２３に接近する。作業端２２は、第１開放空間２５と、第２開放空間２６とをさらに含む。第１開放空間２５の壁面には、第１収容穴２７が設けられ、第１収容穴２７の内には、ばね２７１と、制動具２７２とが順に収容されている。第２開放空間２６の壁面には、少なくとも１つの第２収容穴２８が設けられている。本実施例において、２つの第２収容穴２８が設けられている。第２収容穴２８の内には、ばね２８１と制動具２８２とが順に収容されている。
【００１７】
ラチェット具３０は、回動可能に本体２０の固定爪２３に設けられ、ラチェット具３０の枢転軸は、本体２０の枢転軸と同軸に配置され、且つ本体２０に相対して回動することができる。ラチェット具３０は、リング状に形成されている。ラチェット具３０は、内側３１と、外側３２とを含み、内側３１を被駆動具の外部に取り付けて、被駆動具を駆動することができる。
【００１８】
前記外側３２には、歯合部３３が形成され、且つ歯合部３３の各歯は、等間隔に形成されている。内側３１と外側３２との間には、開口部３４を設けている。開口部３４は、パイピング９０を通過させて、パイピング９０がラチェット具３０の内側３１に進入するようにし、且つラチェット具３０の内側３１を被駆動具に嵌着させる。ラチェット具３０の開口部３４の幅は、歯合部３３の円周方向に沿う第１距離Ｌ１を有している。ラチェット具３０において、歯合部３３の両側には、それぞれ第２制限部３５が設けられている。第２制限部３５は、リング溝状に形成され、且つ第１制限部２４が第２制限部３５に当接される。
【００１９】
ラチェット具３０の枢転軸の軸方向に沿う両端部には、径方向に沿う制限リング３６が延設されている。制限リング３６は、中空の皿状に形成され、且つ制限リング３６の最大外径が歯合部３３の外径より大きいので、ラチェット具３０が枢転軸の軸方向に沿って本体２０の固定爪２３から離脱することができない。制限リング３６の外周部には、ラチェット運動部３７が形成されている。ラチェット運動部３７により使用者がラチェット具３０を回すことができる。ラチェット運動部３７には、エンボス構造が形成されているので、使用者が接触するときの摩擦力を向上させることができる。
【００２０】
第１可動爪４０は、第１枢転端４１と、第１枢転端４１の反対側に位置する第１可動端４２とを含める。第１枢転端４１を本体２０の第１枢転端２２１に枢設することにより、第１可動爪４０が作業端２２に相対して回転する関係を形成する。第１可動爪４０の枢転軸は、本体２０の枢転軸に平行し、第１可動爪４０の第１枢転端４１は、第１開放空間２５に収容されている。
【００２１】
第１可動端４２のラチェット具３０に接近する一側には、第１歯形部４３が形成され、且つ第１歯形部４３の各歯間の間隔と歯合部３３の各歯間の間隔とが同じである。第１歯形部４３の歯合部３３の円周方向に沿う両端部の間は、第２距離Ｌ２を有し、且つ第２距離Ｌ２は、第１距離Ｌ１より小さい。
【００２２】
本実施例において、２つの第２可動爪５０を有している。前記２つの第２可動爪５０は、第１可動爪４０の両側に対称に設けられている。第２可動爪５０は、第２枢転端５１と、第２枢転端５１の反対側に位置する第２可動端５２とを含む。第２枢転端５１を本体２０の第２枢転部２２２に取り付けることにより、第２可動爪５０が作業端２２に相対して回転する関係を形成する。第２可動爪５０の枢転軸は、本体２０の枢転軸に平行し、第２可動爪５０の第２枢転端５１は、第２開放空間２６に収容されている。
【００２３】
第２可動端５２のラチェット具３０に接近する一側には、第２歯形部５３が形成され、第２歯形部５３の各歯間の間隔と歯合部３３の各歯間の間隔とが同じである。第２歯形部５３の歯合部３３の円周方向に沿う両端部の間は、第３距離Ｌ３を有し、且つ第３距離Ｌ３は第２距離Ｌ１より小さく、第３距離Ｌ３は第２距離Ｌ２に等しい。
【００２４】
第２可動爪５０は、本体２０の枢転軸の軸方向に沿って、第１可動爪４０のそばに設けられている。第２歯形部５３の最前段の２つの歯形と第１歯形部４３の最後段の２つの歯形とは、ラチェット具３０の歯合部３３中の同じの２つの歯形に噛み合っている。これにより、ラチェット具３０の歯合部３３が力を受けるときの変形量を軽減し、ラチェット具３０の使用寿命を延長することができる。第１歯形部４３から最遠端部の歯形と第２歯形部５３から最遠端部の歯形との間は、歯合部３３の円周方向に沿う弧長ＬＡを有し、弧長ＬＡは第１距離Ｌ１より大きい。
【００２５】
第１収容穴２７内の制動具２７２は、第１収容穴２７に収納されるばね２７１の弾力により、第１可動爪４０に当接されている。第２収容穴２８の制動具２８２は、第２収容穴２８に収納されるばね２８１の弾力により、第２可動爪５０に当接されている。
【００２６】
第１可動爪４０の第１収容穴２７に接近する箇所には、第１制動部４４が形成され、第１収容穴２７の制動具２７２は、第１制動部４４に当接されている。第２可動爪５０の第２収容穴２８に接近する箇所には、第２制動部５４が形成され、第２収容穴２８の制動具２８２は、第２制動部５４に当接されている。第１可動爪４０を収容した後に第１開放空間２５に、第１隙間２５１が残り、第２可動爪５０を収容した後に第２開放空間２６に、第２隙間２６１が残っている。
【００２７】
第１可動爪４０と第２可動爪５０は、第１位置と第２位置との間で移動することができる。第１可動爪４０が第１位置に位置するときは、第１歯形部４３がラチェット具３０の歯合部３３に噛み合い、第２可動爪５０が第２位置に位置するときは、第２歯形部５３がラチェット具３０の歯合部３３に噛み合い、第１可動爪４０が第２位置に位置するときは、第１歯形部４３がラチェット具３０の歯合部３３から離脱し、第２可動爪５０が第２位置に位置するときは、第２歯形部５３がチェット具３０の歯合部３３から離脱する。第１可動爪４０と第２可動爪５０が第１位置と第２位置との間に移動するとき、移動パターンが経路に類似するので、使用者が操作する時の利便性を向上させることができる。第１歯形部４３と固定爪２３との間の距離は、第２歯形部５３と固定爪２３との間の距離より小さい。第１可動爪４０と第２可動爪５０が第２位置に位置するときは、第１歯形部４３と固定爪２３との間の距離が歯合部３３の外径より小さくなり、ラチェット具３０が径方向に沿って固定爪２３と第１可動爪４０との間から離脱することができない。
【００２８】
図６と図７を参照すると、本案による開放式ラチェットレンチの可動爪の操作を示す図が示されている。使用者がつかみ部２１をつかんで、ラチェットレンチ１０を時計方向に回す時、第１歯形部４３と第２歯形部５３とがラチェット具３０の歯合部３３を駆動するので、ラチェット具３０が被駆動具（図６）を駆動することができる。ラチェットレンチ１０を逆時計方向に回す時、ラチェット具３０が第１可動爪４０と第２可動爪５０を第２位置に移動させ、第１歯形部４３と第２歯形部５３がラチェット具３０の歯合部３３に相対して滑動し、ラチェット具３０が本体２０に対してラチェット運動の効果を奏する（図７）。使用者がラチェットレンチ１０を回すことを停止するとき、第１収容穴２７の制動具２７２と第２収容穴２８の制動具２８２がそれぞれ第１可動爪４０と第２可動爪５０とを第１位置に押圧して移動させ、第１収容穴２７の制動具２７２と第２収容穴２８の制動具２８２がそれぞれ、第１制動部４４と第２制動部５４とに当接されるので、第１可動爪４０と第２可動爪５０が第１位置に位置するときは、第２位置に移動しにくい。
【００２９】
図８ないし図１０を参照すると、本案による開放式ラチェットレンチのラチェット具の操作を示す図が示されている。ラチェットレンチ１０を逆時計方向に回し続けて、本体２０をラチェット具３０に相対して回動させる時、第１可動爪４０の第１歯形部４３がラチェット具３０の開口部３４方向に移動する。ラチェットレンチ１０を回す過程において、第２距離Ｌ２が第１距離Ｌ１より小さいため、第１歯形部４３が一定の期間において、ラチェット具３０の開口部３４と向き合うと共に、歯合部３３から離脱する。しかし、第２歯形部５３が依然としてラチェット具３０の歯合部３３に噛み合っているので、本体２０がラチェット具３０を駆動し続けることができる（図８）。被駆動具を回していないとき、本体２０の角度を改変した後、使用者がラチェットレンチ１０を時計方向に回し続ける場合、ラチェット具３０により、被駆動具を締め付けるか、或いは緩むことができる（図９）。ラチェットレンチ１０を一定の角度回した後、逆時計方向へ回し続ける場合、本体２０がラチェット具３０に対して回動し、第２可動爪５０の第２歯形部５３がラチェット具３０の開口部３４方向に移動する。ラチェットレンチ１０を回す過程において、第２距離Ｌ２が第１距離Ｌ１より小さいため、第２歯形部５３が一定の期間において、ラチェット具３０の開口部３４と向き合うと共に、歯合部３３から離脱する。この場合、一部分の第１歯形部４３がラチェット具３０の歯合部３３に噛み合われる。弧長ＬＡが第１距離Ｌ１より大きいため、ラチェット具３０に相対して本体２０をいくら回しても、本体２０がラチェット具３０を駆動することができるので、ラチェット具３０が被駆動具を駆動することができる（図１０）。
【００３０】
図１１を参照すると、本案による開放式ラチェットレンチを清掃することを示す図が示されている。固定爪２３と、ラチェット具３０と、第１可動爪４０と、第２可動爪５０との間に汚れ物９１が入っている場合、第１可動爪４０と、第２可動爪５０との位置を調節し、ラチェット具３０を固定爪２３、第１可動爪４０又は第２可動爪５０から離脱させる。このとき、使用者がラチェット具３０の歯合部３３と、第１歯形部４３と、第２歯形部５３とを洗浄するか、或いは本体２０に相対してラチェット具３０を回し続ける時、回転により露出されるラチェット具３０の一部分を洗浄することができる。第１隙間２５１と第２隙間２６１にも充分な空間が形成されているが、第１隙間２５１又は第２隙間２６１に入った汚れ物９１がこの内部に滞留せず、一定な時間を経過すると、第１隙間２５１と第２隙間２６１から自ずから落ちることができる。或いは、水を第１隙間２５１と第２隙間２６１に水を流す水洗方式により、第１隙間２５１と第２隙間２６１中の汚れ物９１を洗浄することができる。
【００３１】
前述した技術により、本案は以下のような考案の効果を奏することができる。
【００３２】
本考案の開放式ラチェットレンチは、悪い環境で長時間使用しても破損するか、或いは故障しない。使用者にとって、ラチェットレンチを使用するとき、周辺の環境を特に留意する必要がない。即ち、悪い環境においてラチェットレンチを使用しても、環境の粉塵や汚れ物により、ラチェットレンチが故障するか、或いは破損しない。ラチェットレンチの固定爪と可動爪は、選択的にラチェット具から離脱することができるので、粉塵や汚れ物がラチェットレンチの内部に入った時、使用者が水を用いてラチェットレンチを洗浄し、ラチェットレンチを正常状態に回復させることができるので、使用者に大きい利便性を提供することができる。且つ、消費者がレンチの欠点により無償交換又は無償修理を要求する可能性が低いので、メーカーにとって、ラチェットレンチの保証に掛かる修理コスト又は交換コストを軽減することができる。また、ラチェットレンチが故障しにくいので、メーカーの信用を向上させることもできる。
【００３３】
本案による開放式ラチェットレンチにおいて、ラチェットレンチの可動爪は、挟持機能とラチェット機能とを有しているので、ラチェットレンチの製造コストと保証コストを有効に軽減することができる。また、使用者がレンチ各部位の状態の調整する必要がなく、ラチェットレンチを往復に回すことにより、被駆動具を駆動するか、或いはラチェットレンチにラチェット機能を生成し、レンチの角度を調節することができるので、ラチェットレンチを使用するハードルを軽減することができる。
【００３４】
本案による開放式ラチェットレンチは、少なくとも２つの可動爪を有し、且つ第１可動爪と第２可動爪とが同時にラチェット具を駆動することができる。また、第１歯形部と第２歯形部とが歯合部に有効に噛み合うので、ラチェットレンチが耐えるトルクが大きくなり、使用者が過大なトルクを与えても、ラチェットレンチを容易に損傷させない。また、可動爪を容易に製造及び組立てることができるので、ラチェットレンチの保証コストを有効に軽減することができる。
【符号の説明】
【００３５】
１０  ラチェットレンチ
２０  本体
２１  つかみ部
２２  作業端
２２１  第１枢転部
２２２  第２枢転部
２３  固定爪
２４  第１固定部
２５  第１開放空間
２５１  第１隙間
２６  第２開放空間
２６１  第２隙間
２７  第１収容穴
２７１  ばね
２７２  制動具
２８  第２収容穴
２８１  ばね
２８２  制動具
３０  ラチェット具
３１  内側
３２  外側
３３  歯合部
３４  開口部
３５  第２固定部
３６  制限リング
３７  ラチェット運動部
４０  第１可動爪
４１  第１枢転端
４２  第１可動端
４３  第１歯形部
４４  第１制動部
５０  第２可動爪
５１  第２枢転端
５２  第２可動端
５３  第２歯形部
５４  第２制動部
９０  パイピング
９１  汚れ物
Ｌ１  第１距離
Ｌ２  第２距離
Ｌ３  第３距離
ＬＡ  弧長  
【図１】
0003186979.tif 000003
【図２】
0003186979.tif 000004
【図３】
0003186979.tif 000005
【図４】
0003186979.tif 000006
【図５】
0003186979.tif 000007
【図６】
0003186979.tif 000008
【図７】
0003186979.tif 000009
【図８】
0003186979.tif 000010
【図９】
0003186979.tif 000011
【図１０】
0003186979.tif 000012
【図１１】
0003186979.tif 000013